(57)【要約】【課題】本発明は、単純な構成を有し、いずれの弾球遊技機においても容易に設けられ、遊技媒体の詰まりを確実に解消可能な遊技機用詰まり解消装置を提供することを目的とした。【解決手段】玉詰まり解消装置１は、水平搬送路から遊技媒体を分流させる補給シュート及び／又は補給シュートを通過した遊技媒体が導入される玉受タンクに取り付けられるものであり、振動手段２と遠隔操作手段３と取付部材５を有している。振動手段２は取付部材５を用いて補給シュート及び／又は玉受タンクに取り付け可能とされており、遠隔操作手段３を操作することで振動手段２を振動させることができる。【選択図】図２
2011000287.tif 000002
【特許請求の範囲】
【請求項１】
複数の弾球遊技機に対して遊技媒体を供給する供給路本体から当該遊技媒体を分流させる分流部材、及び／又は、弾球遊技機に備えられて当該分流部材を通過した遊技媒体が導入される受部材に設けられ振動を発生させる振動手段と、
当該振動手段を遠隔操作可能な遠隔操作手段と、
前記振動手段を保持可能な取付部材を有し、
前記振動手段は、当該取付部材を介して前記分流部材及び／又は受部材に振動が伝搬されるように取り付けられ、
前記遠隔操作手段が操作されることで、前記振動手段が振動することを特徴とする遊技機用詰まり解消装置。
【請求項２】
前記取付部材は、振動手段を保持できる保持部と、分流部材あるいは受部材の上端側に掛止可能な掛止部と、分流部材あるいは受部材の下端側に位置し前記掛止部と共に分流部材あるいは受部材を挟持可能な固定手段とを有し、
前記固定手段と前記掛止部の間隔は調節可能であることを特徴とする請求項１に記載の遊技機用詰まり解消装置。
【請求項３】
振動手段は、分流部材あるいは受部材の下流側に配されていることを特徴とする請求項１又は２に記載の遊技機用詰まり解消装置。
【請求項４】
遠隔操作手段が操作されると、振動手段が一定時間連続して振動することを特徴とする請求項１乃至３のいずれかに記載の遊技機用詰まり解消装置。
【発明の詳細な説明】
【技術分野】
【０００１】
本発明は、遊技媒体が弾球遊技機に供給される際に発生する詰まりを解消する遊技機用詰まり解消装置に関するものである。
【背景技術】
【０００２】
弾球遊技機として一般的に知られているものに、例えばパチンコ機がある。パチンコ機は、、遊技媒体として鉄球、いわゆるパチンコ玉を使用して遊技するものである。パチンコ機においては、遊技中にパチンコ玉が入賞口に入賞するなどの所定条件が成立することに基づいて、所定個数のパチンコ玉がパチンコ機から遊技者に対して払い出される。また最近では、遊技者が所望のパチンコ機に隣接する貸出機にお金を投入すると、パチンコ玉は貸出機を介して当該パチンコ機に直接供給され、遊技者に貸し出される。
【０００３】
ところで、遊技場では、複数の遊技機が列設されて「島」が形成されており、同一の島内で遊技媒体が循環する。具体的には、例えばパチンコ機が設けられた島内には、パチンコ玉をパチンコ機の上部側に揚送可能な玉揚送装置と、当該玉揚送装置で揚送されたパチンコ玉を同一島内の遊技機に対して平行に流す水平搬送路と、当該水平搬送路から分岐して各パチンコ機にパチンコ玉を供給可能な遊技媒体導入部材、いわゆる補給シュートとが設けられている。即ち、パチンコ玉は、パチンコ機で使用された後、玉揚送装置に送られ、玉揚送装置で上方に搬送されて、水平搬送路と各パチンコ機の上部に備えられた補給シュートを介して再び各パチンコ機に供給される経路を循環するものである。
【０００４】
ここで、パチンコ玉は、水平搬送路から補給シュートに分流される際や、補給シュートからパチンコ機の玉受タンクに供給された際に、玉詰まりが生じ易いことが知られている。これは、補給シュート及び玉受タンクにおける通路が、パチンコ玉の流れ方向下流側の断面形状がテーパー状に漸減されており、最終的にパチンコ玉が１個ずつしか通過できない断面形状とされているため、当該通路を多量のパチンコ玉が一度に流れると、パチンコ玉同士が団子状に積み重なって、パチンコ玉によって通路が閉鎖されてしまうからである。
【０００５】
これによって、貸出機にお金を投入してパチンコ玉を借りる際や、パチンコ機の遊技中にパチンコ玉が入賞口に入賞してパチンコ玉が払い出される際に、遊技者に対してパチンコ玉が払い出されないという問題が生じていた。そのため、従来においては、遊技者が遊技場の従業員を呼んで、従業員の手作業で玉詰まりを解消してもらうことが一般的であった。ところが、遊技場では、１人の従業員が複数の島を管理しているため、従業員が迅速に対応できない場合が生じ、遊技者が不満を感じることがあった。
【０００６】
そこで特許文献１には、玉の詰まりが生じやすい補給シュートの下流側の位置にセンサを設け、当該センサから信号を受けた制御基板が玉の通過がない等の条件を満足した際に、ソレノイドを駆動させる信号を生成して、ソレノイドの振動により玉の詰まりが解消される玉詰まり解消装置を備えた遊技島が開示されている。
【先行技術文献】
【特許文献】
【０００７】
【特許文献１】特開２００７−３７８２９号公報
【発明の開示】
【発明が解決しようとする課題】
【０００８】
しかしながら、特許文献１に記載の遊技島では、センサをソレノイドの位置から近い位置に設けた場合、ソレノイドの振動の影響を受けてセンサに不具合を来す懸念があった。これにより、センサがパチンコ玉の流通を把握できなくなるため、玉詰まりが発生した場合に、制御基板がソレノイドを駆動させることができず、玉詰まりが解消されない懸念があった。従って、遊技場において、特許文献１に記載の遊技島の場合、玉詰まりが発生すると、結果的に従業員の手作業で玉詰まりを解消しなければならない場合があった。
【０００９】
さらに、特許文献１に記載の遊技島では、玉詰まり解消装置が制御基板を介してセンサ及びソレノイド等が接続されている構成とされているため、従来の島内に比べると同一の島内に設けられた機器及び信号線が多くなり、いずれかの機器あるいは信号線に不具合が生じた場合に、不具合箇所を特定することが困難となっていた。即ち、遊技機本来の機能が正常であっても、玉詰まり解消装置の不具合箇所を特定するためだけに、遊技ができない不合理が生じる場合が考えられる。これにより、遊技機の回転率が低下して、遊技場側が不利益を被るという問題が発生する。このような事情により、現状においては、前記したようなセンサを用いた玉詰まり解消装置は、普及するに至っていない。
【００１０】
そこで、かかる問題を解決すべく、本発明は、単純な構成を有し、いずれの弾球遊技機においても容易に取り付けることができ、遊技媒体の詰まりを確実に解消可能な遊技機用詰まり解消装置を提供することを課題とする。
【課題を解決するための手段】
【００１１】
上記課題を解決するための請求項１に記載の発明は、複数の弾球遊技機に対して遊技媒体を供給する供給路本体から当該遊技媒体を分流させる分流部材、及び／又は、弾球遊技機に備えられて当該分流部材を通過した遊技媒体が導入される受部材に設けられ振動を発生させる振動手段と、当該振動手段を遠隔操作可能な遠隔操作手段と、前記振動手段を保持可能な取付部材を有し、前記振動手段は、当該取付部材を介して前記分流部材及び／又は受部材に振動が伝搬されるように取り付けられ、前記遠隔操作手段が操作されることで、前記振動手段が振動することを特徴とする遊技機用詰まり解消装置である。
【００１２】
本発明の遊技機用詰まり解消装置は、分流部材や受部材に振動が伝搬されるように配された振動手段を、遠隔操作手段により振動させて遊技媒体の詰まりを解消させることが可能である。即ち、本発明の遊技機用詰まり解消装置は、先に説明したように、センサや制御基板を必要としない構成であるため、信号線が不要で構成が単純である。これにより、不具合が生じる可能性が低減されるため、遊技媒体の詰まりが生じた場合に、振動手段が作動しない状況を殆ど発生させない。即ち、結果的に、遊技場の従業員に手作業で遊技媒体の詰まりを解消してもらう煩わしさがない。
また、本発明の遊技機用詰まり解消装置に不具合が生じた場合であっても、振動手段あるいは遠隔操作手段のいずれかに不具合が生じていると認識できるため、不具合箇所を容易に特定できる。即ち、不具合箇所特定のために、遊技機の回転率が低下する不合理を防止できるため、遊技場側が不利益を被ることがない。
また、振動手段は、取付部材を介して、容易に分流部材や受部材に取り付けることが可能である。これにより、本発明の遊技機用詰まり解消装置によれば、既存の分流部材や受部材に後付で配することが可能であるため、安価なコストで導入可能である。
従って、本発明の遊技機用詰まり解消装置は、分流部材や受部材で遊技媒体の詰まりが発生した場合であっても、構成が単純であるため殆ど不具合が生じることがない。そのため、従業員が手作業で遊技媒体の詰まりを解消する可能性を低減でき、遠隔操作手段により振動手段を振動させて、容易に遊技媒体の詰まりを解消させることが可能である。また、既存の分流部材や受部材に後付で配することができるため、導入コストの増加を低減できる。
【００１３】
請求項２に記載の発明は、前記取付部材は、振動手段を保持できる保持部と、分流部材あるいは受部材の上端側に掛止可能な掛止部と、分流部材あるいは受部材の下端側に位置し前記掛止部と共に分流部材あるいは受部材を挟持可能な固定手段とを有し、前記固定手段と前記掛止部の間隔は調節可能であることを特徴とする請求項１に記載の遊技機用詰まり解消装置である。
【００１４】
本発明の遊技機用詰まり解消装置は、取付部材の保持部に振動手段が保持され、掛止部と固定手段が分流部材や受部材を上下方向から挟持するように配されている。また、固定手段と掛止部の間隔は調整できるため、分流部材や受部材の仕様が異なる場合であっても、確実に固定することができる。即ち、本発明の遊技機用詰まり解消装置によれば、既存の分流部材や受部材であっても取り付けることが可能であるため、導入コストを大幅に増加させることがない。
【００１５】
請求項３に記載の発明は、振動手段は、分流部材あるいは受部材における遊技媒体の流れ方向下流側に配されていることを特徴とする請求項１又は２に記載の遊技機用詰まり解消装置である。
【００１６】
本発明の遊技機用詰まり解消装置は、振動手段が分流部材あるいは受部材における遊技媒体の流れ方向下流側に配されている。ここで、例えば、遊技媒体にパチンコ玉を用いた場合を考えると、適度な量のパチンコ玉が分流部材や受部材に供給されると、パチンコ玉は通路が狭くなる下流側であっても、高さ方向及び幅方向に１列に流れて、通路内をスムーズに下流方向に流れる。一方、多量のパチンコ玉が分流部材や受部材に供給されると、通路が狭くなる下流側では、パチンコ玉は高さ方向に積み重なり、流れが堰き止められる現象、所謂詰まりを生じる場合がある。そこで本発明では、分流部材あるいは受部材における遊技媒体の流れ方向下流側に振動手段を配しており、振動手段の振動が詰まり箇所から近い位置から伝搬される。そのため、小さな振動であっても効率的に伝搬され、結果的に振動手段に備える駆動力は小さいもので足り、製造コストを抑えることが可能となる。
【００１７】
本発明の遊技機用詰まり解消装置は、遠隔操作手段が操作されると、振動手段が一定時間連続して振動するものであることが推奨される。（請求項４）
【発明の効果】
【００１８】
本発明の遊技機用詰まり解消装置では、遠隔操作により振動手段を振動させることが可能であるため、信号線が不要となり、装置を単純な構成とすることができる。これにより、不具合が生じる可能性を低減しつつ、遊技媒体の詰まりを装置を用いて確実に解消することができる。また、本発明の遊技機用詰まり解消装置は、取付部材を介して取り付けられるため、遊技場に備えられた既存の部材にも容易に取り付けることが可能である。これにより、導入コストの大幅な増加を招くことを防止できる。
【図面の簡単な説明】
【００１９】
【図１】本発明の遊技機用詰まり解消装置を備えた遊技島の内部構造を示す正面断面図である。
【図２】振動ユニットを示す斜視図である。
【図３】図２の振動ユニットを示す分解斜視図である。
【図４】発信機を取り付けた状況を示す正面図である。
【図５】（ａ）は、パチンコ玉が通路内で詰まった状態を示す説明図で、（ｂ）は、詰まり状態が崩壊された状態を示す説明図である。
【図６】振動ユニットを補給シュートに取り付けた状況を示す斜視図である。
【図７】振動ユニットを玉受タンクに取り付けた状況を示す斜視図である。
【図８】発信機を備えた表示装置を示す平面図である。
【発明を実施するための形態】
【００２０】
続いて、本実施形態について、図面を参照しながら詳細に説明する。なお、以下の説明では、上下左右の位置関係は、特に断りがない限り、図面を基準として説明する。
【００２１】
本発明の遊技機用詰まり解消装置１（以下、「詰まり解消装置１」とも呼ぶ）は、図１に示すパチンコ機（弾球遊技機）Ｐに用いられるパチンコ玉（遊技媒体）Ｔの詰まりを解消できるものである。一般的には、パチンコ玉Ｔの詰まりが生じる箇所としては、図１に示すパチンコ機Ｐに対してほぼ平行に流れるパチンコ機Ｐ上部の水平搬送路Ｈから各パチンコ機Ｐ側に分流される補給シュート（分流部材）２０や当該補給シュート２０の下流側でパチンコ機２０に備えられた玉受タンク（受部材）２１が挙げられる。そして、本実施形態の詰まり解消装置１は、補給シュート２０や玉受タンク２１に対して作用するものである。
【００２２】
詰まり解消装置１は、図２に示すように、振動手段２と遠隔操作手段３と取付部材５よりなるものである。
振動手段２は、公知技術の振動モータが採用されており、電力が供給されると、モータが回転して振動するものである。振動手段２は、図２，３に示すように、受信機１０（遠隔操作手段３）と電気的に接続されており、受信機１０が後述する発信機１１（遠隔操作手段３）からの赤外線信号を受信して振動手段２のモータを回転させる。即ち、受信機１０は、赤外線を受信する受光器１５と、当該受光器１５の信号により電源のオン／オフが可能な図示しないリレースイッチが備わっている。これにより、受光器１５が信号を受けている間は、リレースイッチにより電源がオン状態とされ、振動手段２の振動が維持される。
【００２３】
発信機１１（遠隔操作手段３）は、一定波長の赤外線を発信可能なもので、公知技術の所謂リモートコントローラである。即ち、発信機１１は、図４に示すように、人為的に電源のオンが可能なスイッチ１６と、赤外線を発光可能な発光ダイオードを備えた図示しない発光器を有しており、スイッチ１６が人為的に押圧されることで当該発光器が赤外線を放つ構成を有している。これにより、前記発光器から放たれる赤外線が受信機１０に受信され、振動手段２に電力が供給されて振動する。なお、スイッチ１６は、押圧状態から解放されると、赤外線を放たない状態となり、受信機１０が赤外線を受信しなくなる。従って、振動手段２は、図示しないリレースイッチによりオフ状態とされるため、振動しなくなる。
【００２４】
取付部材５は、図３に示すように、上面側が開放されたケース状の保持部７と、フック状の掛止部６と、螺合部材２２と補助部材２３からなる固定手段８を有している。保持部７は、振動手段２を保持するもので、振動手段２が開放された上面から載置され、振動手段２を下方及び前後左右（図１基準）方向に動きを拘束可能なものである。即ち、保持部７は、底板３０と側面３１ａ〜３１ｄにより振動手段２を保持している。側面３１ａには、下部側に厚み方向に貫通した挿通孔３３が設けられている。
【００２５】
掛止部６は、図３に示すように、垂直方向に延びる板部３２と、板部３２の一方の先端側からほぼ直交する方向に張り出したフック形状に加工されたフック部３４を有している。板部３２には、厚み方向に貫通した上下に延びる直線状の調整孔３５が設けられている。調整孔３５は、板部３５の中央より下部寄りに配されている。
【００２６】
また、固定手段８においては、螺合部材２２はボルト３６とナット３７であり、補助部材２３は断面形状がＬ字型に加工された板体である。補助部材２３は、Ｌ字の一方の面が掛止部６に当接する当接面２３ａで、他方の面は当接面２３ａの一方の先端からほぼ直交方向に延びる挟持面２３ｂである。当接面２３ａには、ほぼ中央にボルト３６が挿通される、厚み方向に貫通した挿通孔３８が設けられている。
【００２７】
ここで、ボルト３６は、保持部７の貫通孔３３と、掛止部６の貫通孔３５と、補助部材２３の挿通孔３８と、ナット３７に挿通されるものである。即ち、ボルト３６の長さは、保持部７の側面３１ａの厚みと、掛止部６の板部３２の厚みと、補助部材２３の当接面２３ａの厚みと、ナット３７の長さとの合計長さとほぼ同じ長さ又は若干長い程度の長さである。即ち、ボルト３６が、それぞれの孔３３，３５，３８に挿通され、ナット３７により螺合されることで、掛止部６に対する保持部７と補助部材２３の位置が決定される。これにより、補給シュート２０や玉受タンク２１の大きさに合わせて、掛止部６のフック部３４と補助部材２３の挟持面２３ｂとの間隔を上下方向に調節することが可能となる。
【００２８】
次に、本実施形態に係る詰まり解消装置１の組み立て構造について説明する。
【００２９】
本発明の実施形態に係る詰まり解消装置１は、図２に示すように、掛止部６を挟むように保持部７と固定手段８の補助部材２３とが配されている。補助部材２３は、フック部３４が配された側（裏面側）に位置し、当接面２３ａを掛止部６の板部３２に当接させている。当接面２３ａの挿通孔３８と板部３２の貫通孔３５は、連通した配置である。
【００３０】
また、保持部７は、補助部材２３と板部３２を介して対向する側（正面側）に位置し、側面３１ａを掛止部６の板部３２に当接させている。側面３１ａの挿通孔３３と板部３２の貫通孔３５とは、連通した配置である。固定手段８のボルト３６は、連通したそれぞれの孔３３，３５，３８に挿通され、先端をナット３７で螺合している。なお、保持部７と補助部材２３の位置を所望の位置に調節してから、ボルト３６をナット３７に螺合させて、固定させている。
【００３１】
所望の位置に固定された保持部７には、上方側から振動手段２が載置されている。即ち、振動手段２は、底面３０及び側面３１ａ〜３１ｄによって固定され、前後左右方向に移動できないように保持されている。なお、振動手段２は、電線３９を介して図示しない外部電源と接続されており、その中途に受信機１０（遠隔操作手段３）が接続されている。受信機１０は、受光器１５が正面側に向くように保持部７の側面３１ａに固定されている。以下の説明において、必要に応じて、振動手段２と取付部材５と受信機１０の複合体を振動ユニット９と呼ぶ。なお、受信機１０は、図示しない両面テープなどの簡易な固定手段で固定されている。
【００３２】
一方、発信機１１（遠隔操作手段３）は、図４に示すように、パチンコ機Ｐの上部に配されたスタート情報や大当たり情報などが表示される表示装置Ｊに隣接する位置に固定されている。なお、発信機１１は、振動手段２と同様、図示しない外部電源と接続されている。
【００３３】
次に、振動ユニット９（振動手段２と取付部材５と受信機１０の複合体）を取り付ける補給シュート２０や玉受タンク２１の位置関係について説明すると共に、パチンコ玉Ｔの流れについて説明する。
【００３４】
振動ユニット９は、先にも説明したように、パチンコ機Ｐにパチンコ玉Ｔを分流する補給シュート（分流部材）２０や補給シュート２０から供給されるパチンコ玉Ｔを受けるパチンコ機Ｐに備わった玉受けタンク（受部材）２１に取り付けられるものである。
【００３５】
補給シュート２０及び玉受タンク２１は、図１に示すように、複数の遊技機２０により構成された遊技島Ｉや各遊技機２０に配されている。より具体的には、遊技島Ｉには、パチンコ玉Ｔを各パチンコ機Ｐに供給する経路に、パチンコ玉Ｔをパチンコ機Ｐより上方に揚送可能な玉揚送装置Ｕと、同一島内に設置されたパチンコ機Ｐにほぼ平行にパチンコ玉Ｔを流すことが可能な水平搬送路Ｈが備えられており、補給シュート２０は各パチンコ機Ｐの上部に位置しており水平搬送路Ｈに接続されている。また、玉受タンク２１は、各パチンコ機Ｐに備えられており、補給シュート２０から供給されるパチンコ玉Ｔを受けるため、補給シュート２０のほぼ直下に位置している。
【００３６】
従って、パチンコ玉Ｔは、玉揚送装置Ｕを上方に揚送されて水平搬送路Ｈに流され、各パチンコ機Ｐの上部に配された補給シュート２０に供給される。ここで、補給シュート２０は、パチンコ玉Ｔの数を計測するなどの目的で、パチンコ玉Ｔの流れ方向下流側（パチンコ玉Ｔを下方に搬送する通路の直前）において、パチンコ玉Ｔが１個ずつしか通過できない断面形状とされている。
【００３７】
また、補給シュート２０よりパチンコ玉Ｔの流れ方向下流側に位置する玉受タンク２１も、同様の目的などから、パチンコ玉Ｔの流れ方向下流側（パチンコ玉Ｔを下方に搬送する通路の直前）において、パチンコ玉Ｔが１個ずつしか通過できない断面形状とされている。従って、図５に示すように、多量のパチンコ玉Ｔが供給された場合、図５（ａ）に示すように、補給シュート２０や玉受タンク２１の下流側でパチンコ玉Ｔが積み重なって詰まりが生じる場合があった。そこで、本発明の詰まり解消装置１は、遠隔操作により補給シュート２０や玉受タンク２１に振動を発生させることができるため、パチンコ玉Ｔの詰まりが発生した場合に、従業員を呼ぶことなく、確実に詰まりを解消できる。
【００３８】
本実施形態に係る詰まり解消装置１の取り付け方及び使用方法について説明する。以下、補給シュート２０及び玉受けタンク２１の双方に振動ユニット９を取り付けた説明を行っている。
【００３９】
保持部７と掛止部６と補助部材２３にネジ３６を挿通して、ネジ３６が挿通孔３５内を移動できる程度にナット３７を締めておく。そしてその状態で、掛止部６のフック部３４を補給シュート２０や玉受タンク２１の上端部に掛ける。具体的には、振動手段２が、パチンコ玉Ｔが詰まる位置に配されることが好ましい。
【００４０】
そして、補助部材２３の挟持面２３ｂが補給シュート２０や玉受タンク２１の底面に当接するように調節する。その調節後、ボルト３６とナット３７を強固に締めることで、補助部材２３が所望の位置で固定される。また、フック部３４と挟持面２３には、図示しないゴム板が設けられているため、振動等によりフック部３４と挟持面２３が滑って、振動ユニット９が外れ落ちることがない。即ち、本実施形態の詰まり解消装置１は、フック部３４と挟持面２３ｂを用いて、補給シュート２０や玉受タンク２１を上下方向から挟むことで取付部材５を確実に固定できる。そして、図６，７に示すように、保持部７に振動手段２を載置する。なお、受信機１０（遠隔操作手段３）は、正面側に受光器１５が向くように配置させて、図示しない両面テープなどの簡易な固定手段で、取付部材５などに固定することが好ましい。
【００４１】
一方、発信機１１（遠隔操作手段３）は、図４に示すように、表示装置Ｊに隣接する位置に固定する。固定手段としては、図示しないネジや強固な粘着力を有する粘着剤などで固定することが好ましい。これにより、遊技者や従業員などに持ち運ばれて紛失されることを防止できる。
【００４２】
従って、上記構成を備えた詰まり解消装置１を設置した遊技島Ｉでは、遊技中あるいは貸し出し中に、パチンコ玉Ｔが払い出されなくなった場合であっても、遊技者自身がパチンコ玉Ｔの詰まった個所を振動させることができるため、容易にパチンコ玉Ｔの詰まりを解消することができる。即ち、遊技中あるいは貸し出し中に、パチンコ玉Ｔがパチンコ機Ｐの受け皿等に供給されなくなった場合、全ての機器等が正常に稼働していると仮定すると、パチンコ玉Ｔが通路で詰まっている状況が考えられる（図５（ａ））。
【００４３】
そのため、この状態において、遊技者がパチンコ機Ｐの上部で、表示装置Ｊに隣接した位置に配された発信機１１のスイッチ１６を押す。すると、発信機１１の発光器１５から赤外線が送られ、受信機１０がその赤外線を受信し、補給シュート２０及び玉受タンク２１に配された振動ユニット９の振動手段２が振動して、パチンコ玉Ｔに振動が伝搬される。そして、このパチンコ玉Ｔに伝搬された振動作用により、図５（ｂ）に示すように、通路内でパチンコ玉Ｔが積み重なった状態が崩壊して、再び通路内をパチンコ玉Ｔがスムーズに流れることとなる。即ち、本実施形態では、詰まり現象が、補給シュート２０あるいは玉受タンク２１のいずれで発生しても、双方を振動させる構成を有しているため、詰まりが確実に解消できる。なお、本実施形態においては、発信機１１のスイッチ１６を押している間、振動手段２の振動が維持される構成のため、パチンコ玉Ｔの供給が確認されるまでスイッチ１６を押した状態を維持してもよい。
【００４４】
従って、本発明の詰まり解消装置１によれば、遠隔操作により振動手段２を振動させることが可能であるため、信号線が不要となり、装置を単純な構成とすることができる。これにより、不具合が生じる可能性を低減しつつ、パチンコ玉Ｔの詰まりを詰まり解消装置１を用いて確実に解消することができる。また、本発明の詰まり解消装置１は、取付部材５を介して取り付けられるため、遊技場に備えられた既存の部材にも容易に取り付けることが可能である。これにより、導入コストの増加を低減できる。
【００４５】
上記実施形態では、振動手段２は発信機１１のスイッチ１６を押している間だけ振動する構成を示したが、本発明はこれに限定されず、受信機１０に図示しないタイマー等を設け、スイッチ１６を１回押すと一定時間（例えば５秒間）振動する構成であっても構わない。
【００４６】
上記実施形態では、振動手段２に振動モータを採用した構成を示したが、本発明はこれに限定されず、振動手段２は衝撃により振動を与えるソレノイド等を用いた構成であっても構わない。
【００４７】
上記実施形態では、補給シュート２０及び玉受タンク２１の双方に振動ユニット９を取り付けた構成を示したが、本発明はこれに限定されるわけではなく、補給シュート２０又は玉受タンク２１のいずれかに振動ユニット９を取り付けた構成であっても構わない。
【００４８】
上記実施形態では、各パチンコ機Ｐに配された発信機１１は、同一波長の赤外線を発信する構成を示したが、本発明はこれに限定されず、隣接するパチンコ機Ｐの発信機１１は異なる波長の赤外線を発信する構成であっても構わない。この場合、受信機１０が反応する赤外線の波長も変える必要がある。
【００４９】
上記実施形態では、表示装置Ｊに隣接する位置に発信機１１を配した構成を示したが、本発明はこれに限定されず、例えば、パチンコ機ＰのハンドルＧ近傍に配したり、表示装置Ｊに備えた構成であっても構わない。表示装置Ｊに発信機１１を配した場合、図８に示すように、スイッチ１６は表示装置Ｊに設けられた呼び出しボタン等と並列して配することが好ましい。
【００５０】
上記実施形態では、発信機１１をパチンコ機Ｐの近傍に固定する構成を示したが、本発明はこれに限定されず、遊技場の従業員が携帯できる構成であっても構わない。しかしながら、発信機１１を従業員が携帯すると、パチンコ玉Ｔの詰まりを解消するためには、遊技者は従業員を呼び出す必要が生じるため、上記した実施形態に示したようにパチンコ機Ｐの近傍に固定する構成が好ましい。
【００５１】
上記実施形態では、振動手段２及び発信機１１が図示しない外部電源から電力が供給される構成を示したが、本発明はこれに限定されず、乾電池などの一次電池を用いた構成であっても構わない。
【００５２】
上記実施形態では、補給シュート２０や玉受けタンク２１を取付部材５が有するフック部３４と挟持面２３ｂにより直接挟み込む構成を示したが、本発明はこれに限定されず、例えば、フック部３４と挟持面２３ｂの補給シュート２０や玉受タンク２１を挟み込む側に、摩擦係数が大きい図示しないゴム板などを設け、当該ゴム板を介して間接的に補給シュート２０や玉受タンク２１を挟み込む構成であっても構わない。このような構成とすることで、振動手段２の振動の影響により、詰まり解消装置１が補給シュート２０や玉受タンク２１から滑り落ちる心配がない。
【符号の説明】
【００５３】
１    遊技機用詰まり解消装置（詰まり解消装置）
２    振動手段
３    遠隔操作手段
５    取付部材
１０    受信機
１１    発信機
２０    補給シュート（分流部材）
２１    受部材（玉受タンク）
Ｈ    水平搬送路（供給路本体）
Ｐ    パチンコ機（遊技機）
Ｔ    パチンコ玉（遊技媒体）
【図１】
2011000287.tif 000003
【図２】
2011000287.tif 000004
【図３】
2011000287.tif 000005
【図４】
2011000287.tif 000006
【図５】
2011000287.tif 000007
【図６】
2011000287.tif 000008
【図７】
2011000287.tif 000009
【図８】
2011000287.tif 000010